(57)【要約】 【課題】番組が終了する一定時間前に番組表を画面に表示し、次に視聴する番組を予約することができるようにする。 【解決手段】現在視聴している番組が終了する一定時間前に、次の時間帯に放送される各局の番組表を含む番組選択メニューが画面に表示される。表示された番組表の中から所望の番組を選択すると、選択した番組の開始時刻に、自動的にその番組が放送されるチャンネルが選局され、画面全体にその番組の映像が表示される。【選択図】図１
2006237873.tif 000002
【特許請求の範囲】
【請求項１】
所定の映像を所定の表示装置に表示する表示制御装置であって、 
複数のチャンネルから所定のチャンネルを選局し、選局した前記チャンネルの受信信号を出力する選局手段と、 
前記選局手段によって選局された前記チャンネルで放送される各番組の開始時刻および終了時刻を示す番組表に基づいて、現在の時刻が、各番組のうち現在放送されているものの終了時刻から所定時間前であるか否かを判定する第１の判定手段と、
前記第１の判定手段による判定結果に基づいて、各番組のうち現在放送されているものの終了時刻から所定時間前に、次の時間帯に放送される各チャンネルの番組を示す番組表を含む番組選択メニューに対応する表示信号を出力する番組表表示制御手段と、
前記番組選択メニューに含まれる前記番組表の中から所定の番組を予約番組として選択する予約番組選択手段と、 
現在の時刻が、前記予約番組選択手段によって選択された前記予約番組の放送開始時刻になったか否かを判定する第２の判定手段と、
前記第２の判定手段による判定結果に応じて、前記予約番組の放送が開始される時刻に、前記選局手段によって前記予約番組が放送されるチャンネルが選局され、選局された前記チャンネルで放送される前記予約番組に対応する映像音声信号が出力されるように制御する映像音声信号出力制御手段と
を備えることを特徴とする表示制御装置。 
【請求項２】
前記受信信号、前記番組選択メニューに対応する表示信号、および前記映像音声信号に対応する映像を表示する表示手段をさらに備える
ことを特徴とする請求項１に記載の表示制御装置。 
【請求項３】
前記受信信号から前記番組表に対応する番組表データを抽出する抽出手段をさらに備え、 
前記第１の判定手段は、前記番組表データに基づいて、現在の時刻が、各番組のうち現在放送されているものの終了時刻から所定時間前であるか否かを判定する
ことを特徴とする請求項１または２に記載の表示制御装置。 
【請求項４】
前記番組表表示制御手段は、前記番組選択メニューに対応する表示信号を、前記所定時間前より以降のコマーシャルが放送されている間に出力する
ことを特徴とする請求項１乃至３のいずれかに記載の表示制御装置。 
【請求項５】
所定の映像を所定の表示装置に表示する表示制御装置であって、 
複数のチャンネルから所定のチャンネルを選局し、選局した前記チャンネルの受信信号を出力する選局手段と、 
前記選局手段によって選局された前記チャンネルで放送される各番組の開始時刻および終了時刻を示す番組表に基づいて、現在の時刻が、各番組のうち現在放送されているものの終了時刻から所定時間前であるか否かを判定する第１の判定手段と、
前記第１の判定手段による判定結果に基づいて、各番組のうち現在放送されているものの終了時刻から所定時間前に、前記選局手段によって選局されている前記チャンネルの所定のもの以外の複数のものを選局し、選局した前記チャンネルの所定のもの以外の複数のものの縮小画像に対応する画像信号を生成する生成手段と、
前記生成手段によって生成された各縮小画像を前記チャンネルの所定のものの映像上で重ね合わせ、合成する合成手段と、 
前記合成手段によって前記映像に前記縮小画像が合成された合成映像に対応する合成映像信号を出力する出力手段と 
を備えることを特徴とする表示制御装置。 
【請求項６】
リモートコントローラからの制御信号によって制御される表示制御装置であって、 
各チャンネルのうちの所定のチャンネルを選局し、選局した前記チャンネルの所定のものの受信信号を出力する選局手段と、 
前記リモートコントローラからの前記制御信号を受信する受信手段と、 
前記受信手段によって、前記リモートコントローラの所定のキーに指が触れたことを示す前記制御信号が受信されたとき、前記選局手段によって選局されている前記チャンネルの所定のもの以外の複数のものを選局し、選局した前記チャンネルの所定のもの以外の複数のものの縮小画像に対応する画像信号を生成する生成手段と、
前記生成手段によって生成された各縮小画像を前記チャンネルの所定のものの映像上で移動させながら重ね合わせ、合成する合成手段と、
前記合成手段によって前記映像に前記縮小画像が合成された合成映像に対応する合成映像信号を出力する出力手段と 
を備えることを特徴とする表示制御装置。 
【請求項７】
所定の映像を所定の表示装置に表示する表示制御装置を制御する表示制御方法であって、 
複数のチャンネルから所定のチャンネルを選局し、選局した前記チャンネルの受信信号を出力する選局ステップと、 
前記選局ステップにおいて選局された前記チャンネルで放送される各番組の開始時刻および終了時刻を示す番組表に基づいて、現在の時刻が、各番組のうち現在放送されているものの終了時刻から所定時間前であるか否かを判定する第１の判定ステップと、
前記第１の判定ステップにおける判定結果に基づいて、各番組のうち現在放送されているものの終了時刻から所定時間前に、次の時間帯に放送される各チャンネルの番組を示す番組表を含む番組選択メニューに対応する表示信号を出力する番組表表示制御ステップと、
前記番組選択メニューに含まれる前記番組表の中から所定の番組を予約番組として選択する予約番組選択ステップと、 
現在の時刻が、前記予約番組選択ステップにおいて選択された前記予約番組の放送開始時刻になったか否かを判定する第２の判定ステップと、
前記第２の判定ステップにおける判定結果に応じて、前記予約番組の放送が開始される時刻に、前記選局ステップにおいて前記予約番組が放送されるチャンネルが選局され、選局された前記チャンネルで放送される前記予約番組に対応する映像音声信号が出力されるように制御する映像音声信号出力制御ステップと
を備えることを特徴とする表示制御方法。 
【請求項８】
所定の映像を所定の表示装置に表示する表示制御装置を制御する表示制御方法であって、 
複数のチャンネルから所定のチャンネルを選局し、選局した前記チャンネルの受信信号を出力する選局ステップと、 
前記選局ステップにおいて選局された前記チャンネルで放送される各番組の開始時刻および終了時刻を示す番組表に基づいて、現在の時刻が、各番組のうち現在放送されているものの終了時刻から所定時間前であるか否かを判定する第１の判定ステップと、
前記第１の判定ステップにおける判定結果に基づいて、各番組のうち現在放送されているものの終了時刻から所定時間前に、前記選局ステップにおいて選局されている前記チャンネルの所定のもの以外の複数のものを選局し、選局した前記チャンネルの所定のもの以外の複数のものの縮小画像に対応する画像信号を生成する生成ステップと、
前記生成ステップにおいて生成された各縮小画像を前記チャンネルの所定のものの映像上で重ね合わせ、合成する合成ステップと、
前記合成ステップにおいて前記映像に前記縮小画像が合成された合成映像に対応する合成映像信号を出力する出力ステップと 
を備えることを特徴とする表示制御方法。 
【請求項９】
リモートコントローラからの制御信号によって制御される表示制御装置を制御する表示制御方法であって、 
各チャンネルのうちの所定のチャンネルを選局し、選局した前記チャンネルの所定のものの受信信号を出力する選局ステップと、 
前記リモートコントローラからの前記制御信号を受信する受信ステップと、 
前記受信ステップにおいて、前記リモートコントローラの所定のキーに指が触れたことを示す前記制御信号が受信されたとき、前記選局ステップにおいて選局された前記チャンネルの所定のもの以外の複数のものを選局し、選局した前記チャンネルの所定のもの以外の複数のものの縮小画像に対応する画像信号を生成する生成ステップと、
前記生成ステップにおいて生成された各縮小画像を前記チャンネルの所定のものの映像上で移動させながら重ね合わせ、合成する合成ステップと、
前記合成ステップにおいて前記映像に前記縮小画像が合成された合成映像に対応する合成映像信号を出力する出力ステップと 
を備えることを特徴とする表示制御方法。 
【請求項１０】
所定の映像を所定の表示装置に表示する表示制御装置を制御する表示制御プログラムであって、 
複数のチャンネルから所定のチャンネルを選局し、選局した前記チャンネルの受信信号を出力する選局ステップと、 
前記選局ステップにおいて選局された前記チャンネルで放送される各番組の開始時刻および終了時刻を示す番組表に基づいて、現在の時刻が、各番組のうち現在放送されているものの終了時刻から所定時間前であるか否かを判定する第１の判定ステップと、
前記第１の判定ステップにおける判定結果に基づいて、各番組のうち現在放送されているものの終了時刻から所定時間前に、次の時間帯に放送される各チャンネルの番組を示す番組表を含む番組選択メニューに対応する表示信号を出力する番組表表示制御ステップと、
前記番組選択メニューに含まれる前記番組表の中から所定の番組を予約番組として選択する予約番組選択ステップと、 
現在の時刻が、前記予約番組選択ステップにおいて選択された前記予約番組の放送開始時刻になったか否かを判定する第２の判定ステップと、
前記第２の判定ステップにおける判定結果に応じて、前記予約番組の放送が開始される時刻に、前記選局ステップにおいて前記予約番組が放送されるチャンネルが選局され、選局された前記チャンネルで放送される前記予約番組に対応する映像音声信号が出力されるように制御する映像音声信号出力制御ステップと
を表示制御装置に実行させることを特徴とする表示制御プログラム。 
【請求項１１】
所定の映像を所定の表示装置に表示する表示制御装置を制御する表示制御プログラムであって、 
複数のチャンネルから所定のチャンネルを選局し、選局した前記チャンネルの受信信号を出力する選局ステップと、 
前記選局ステップにおいて選局された前記チャンネルで放送される各番組の開始時刻および終了時刻を示す番組表に基づいて、現在の時刻が、各番組のうち現在放送されているものの終了時刻から所定時間前であるか否かを判定する第１の判定ステップと、
前記第１の判定ステップにおける判定結果に基づいて、各番組のうち現在放送されているものの終了時刻から所定時間前に、前記選局ステップにおいて選局されている前記チャンネルの所定のもの以外の複数のものを選局し、選局した前記チャンネルの所定のもの以外の複数のものの縮小画像に対応する画像信号を生成する生成ステップと、
前記生成ステップにおいて生成された各縮小画像を前記チャンネルの所定のものの映像上で重ね合わせ、合成する合成ステップと、
前記合成ステップにおいて前記映像に前記縮小画像が合成された合成映像に対応する合成映像信号を出力する出力ステップと 
を表示制御装置に実行させることを特徴とする表示制御プログラム。 
【請求項１２】
リモートコントローラからの制御信号によって制御される表示制御装置を制御する表示制御プログラムであって、 
各チャンネルのうちの所定のチャンネルを選局し、選局した前記チャンネルの所定のものの受信信号を出力する選局ステップと、 
前記リモートコントローラからの前記制御信号を受信する受信ステップと、 
前記受信ステップにおいて、前記リモートコントローラの所定のキーに指が触れたことを示す前記制御信号が受信されたとき、前記選局ステップにおいて選局された前記チャンネルの所定のもの以外の複数のものを選局し、選局した前記チャンネルの所定のもの以外の複数のものの縮小画像に対応する画像信号を生成する生成ステップと、
前記生成ステップにおいて生成された各縮小画像を前記チャンネルの所定のものの映像上で移動させながら重ね合わせ、合成する合成ステップと、
前記合成ステップにおいて前記映像に前記縮小画像が合成された合成映像に対応する合成映像信号を出力する出力ステップと 
を表示制御装置に実行させることを特徴とする表示制御プログラム。 
【発明の詳細な説明】
【技術分野】
【０００１】
本発明はリモコンシステムに関し、特に、チャンネルの選局を自動で行う表示制御装置に関するものである。 
【背景技術】
【０００２】
従来、テレビジョン受像機で所定のチャンネルの番組を視聴している視聴者は、番組が終了すると、次に視聴したい番組が放送されるチャンネルにリモコン（リモートコントローラ）等を操作して切り替えるようにしている。その際、次の時間帯にどのような番組が放送されるのか記憶していない場合、新聞のテレビ欄を見たり、電子番組表が利用できる場合には電子番組表を画面に表示させて所望のチャンネルに切り替えるようにしていた。
【０００３】
また、ＡＶセンタにより受信された映像信号に重畳された番組表データが、内蔵するＣＲＴモニタに供給され、所定の番組表が表示され、この番組表に、所定のカーソルが表示される。そして、リモコンによりカーソルを所望の番組の位置に移動させ、その番組の録画予約を指示すると、ＴＶより録画予約された番組のチャンネル番号、放送日、放送開始時刻、および放送終了時刻が、ＡＶバスを介して例えば第１ＶＴＲに送信され、第１ＶＴＲは、この信号に従って録画予約を行うというものがある（例えば、特許文献１参照）。
【特許文献１】特開２００４−１３５３５６号公報
【発明の開示】
【発明が解決しようとする課題】
【０００４】
しかしながら、従来のテレビジョン受像機では、ユーザがリモコン操作によって電子番組表の表示を指示しない限り、電子番組表が画面に表示されることはなく、次の時間帯にいつも見ている番組があるにも拘わらず、それを忘れてそのままチャンネルを変えることなく同一チャンネルの次の番組を見てしまい、本当に見たかった番組を見逃してしまう場合があるという問題があった。
また、番組表に基づいて録画予約ができるものがあるが、次の時間帯に録画したい番組が放送される場合、録画予約するのを忘れてしまったとき、その番組が開始されてからそのことに気づき、録画する機会を逃してしまう場合があるという問題があった。
本発明はこのような状況に鑑みてなされたものであり、現在視聴している番組が終了する一定時間前に番組表を表示して、次に視聴したい番組の選局や録画を予約することができるようにするものである。
【課題を解決するための手段】
【０００５】
請求項１に記載の表示制御装置は、所定の映像を所定の表示装置に表示する表示制御装置であって、複数のチャンネルから所定のチャンネルを選局し、選局したチャンネルの受信信号を出力する選局手段と、選局手段によって選局されたチャンネルで放送される各番組の開始時刻および終了時刻を示す番組表に基づいて、現在の時刻が、各番組のうち現在放送されているものの終了時刻から所定時間前であるか否かを判定する第１の判定手段と、第１の判定手段による判定結果に基づいて、各番組のうち現在放送されているものの終了時刻から所定時間前に、次の時間帯に放送される各チャンネルの番組を示す番組表を含む番組選択メニューに対応する表示信号を出力する番組表表示制御手段と、番組選択メニューに含まれる番組表の中から所定の番組を予約番組として選択する予約番組選択手段と、現在の時刻が、予約番組選択手段によって選択された予約番組の放送開始時刻になったか否かを判定する第２の判定手段と、第２の判定手段による判定結果に応じて、予約番組の放送が開始される時刻に、選局手段によって予約番組が放送されるチャンネルが選局され、選局されたチャンネルで放送される予約番組に対応する映像音声信号が出力されるように制御する映像音声信号出力制御手段とを備えることを特徴とする。
また、受信信号、番組選択メニューに対応する表示信号、および映像音声信号に対応する映像を表示する表示手段をさらに備えるようにすることができる。
また、受信信号から番組表に対応する番組表データを抽出する抽出手段をさらに備え、第１の判定手段は、番組表データに基づいて、現在の時刻が、各番組のうち現在放送されているものの終了時刻から所定時間前であるか否かを判定するようにすることができる。
また、番組表表示制御手段は、番組選択メニューに対応する表示信号を、所定時間前より以降のコマーシャルが放送されている間に出力するようにすることができる。
請求項５に記載の表示制御装置は、所定の映像を所定の表示装置に表示する表示制御装置であって、複数のチャンネルから所定のチャンネルを選局し、選局したチャンネルの受信信号を出力する選局手段と、選局手段によって選局されたチャンネルで放送される各番組の開始時刻および終了時刻を示す番組表に基づいて、現在の時刻が、各番組のうち現在放送されているものの終了時刻から所定時間前であるか否かを判定する第１の判定手段と、第１の判定手段による判定結果に基づいて、各番組のうち現在放送されているものの終了時刻から所定時間前に、選局手段によって選局されているチャンネルの所定のもの以外の複数のものを選局し、選局したチャンネルの所定のもの以外の複数のものの縮小画像に対応する画像信号を生成する生成手段と、生成手段によって生成された各縮小画像をチャンネルの所定のものの映像上で重ね合わせ、合成する合成手段と、合成手段によって映像に縮小画像が合成された合成映像に対応する合成映像信号を出力する出力手段とを備えることを特徴とする。
請求項６に記載の表示制御装置は、リモートコントローラからの制御信号によって制御される表示制御装置であって、各チャンネルのうちの所定のチャンネルを選局し、選局したチャンネルの所定のものの受信信号を出力する選局手段と、リモートコントローラからの制御信号を受信する受信手段と、受信手段によって、リモートコントローラの所定のキーに指が触れたことを示す制御信号が受信されたとき、選局手段によって選局されているチャンネルの所定のもの以外の複数のものを選局し、選局したチャンネルの所定のもの以外の複数のものの縮小画像に対応する画像信号を生成する生成手段と、生成手段によって生成された各縮小画像をチャンネルの所定のものの映像上で移動させながら重ね合わせ、合成する合成手段と、合成手段によって映像に縮小画像が合成された合成映像に対応する合成映像信号を出力する出力手段とを備えることを特徴とする。
請求項７に記載の表示制御方法は、所定の映像を所定の表示装置に表示する表示制御装置を制御する表示制御方法であって、複数のチャンネルから所定のチャンネルを選局し、選局したチャンネルの受信信号を出力する選局ステップと、選局ステップにおいて選局されたチャンネルで放送される各番組の開始時刻および終了時刻を示す番組表に基づいて、現在の時刻が、各番組のうち現在放送されているものの終了時刻から所定時間前であるか否かを判定する第１の判定ステップと、第１の判定ステップにおける判定結果に基づいて、各番組のうち現在放送されているものの終了時刻から所定時間前に、次の時間帯に放送される各チャンネルの番組を示す番組表を含む番組選択メニューに対応する表示信号を出力する番組表表示制御ステップと、番組選択メニューに含まれる番組表の中から所定の番組を予約番組として選択する予約番組選択ステップと、現在の時刻が、予約番組選択ステップにおいて選択された予約番組の放送開始時刻になったか否かを判定する第２の判定ステップと、第２の判定ステップにおける判定結果に応じて、予約番組の放送が開始される時刻に、選局ステップにおいて予約番組が放送されるチャンネルが選局され、選局されたチャンネルで放送される予約番組に対応する映像音声信号が出力されるように制御する映像音声信号出力制御ステップとを備えることを特徴とする。
請求項８に記載の表示制御方法は、所定の映像を所定の表示装置に表示する表示制御装置を制御する表示制御方法であって、複数のチャンネルから所定のチャンネルを選局し、選局したチャンネルの受信信号を出力する選局ステップと、選局ステップにおいて選局されたチャンネルで放送される各番組の開始時刻および終了時刻を示す番組表に基づいて、現在の時刻が、各番組のうち現在放送されているものの終了時刻から所定時間前であるか否かを判定する第１の判定ステップと、第１の判定ステップにおける判定結果に基づいて、各番組のうち現在放送されているものの終了時刻から所定時間前に、選局ステップにおいて選局されているチャンネルの所定のもの以外の複数のものを選局し、選局したチャンネルの所定のもの以外の複数のものの縮小画像に対応する画像信号を生成する生成ステップと、生成ステップにおいて生成された各縮小画像をチャンネルの所定のものの映像上で重ね合わせ、合成する合成ステップと、合成ステップにおいて映像に縮小画像が合成された合成映像に対応する合成映像信号を出力する出力ステップとを備えることを特徴とする。
請求項９に記載の表示制御方法は、リモートコントローラからの制御信号によって制御される表示制御装置を制御する表示制御方法であって、各チャンネルのうちの所定のチャンネルを選局し、選局したチャンネルの所定のものの受信信号を出力する選局ステップと、リモートコントローラからの制御信号を受信する受信ステップと、受信ステップにおいて、リモートコントローラの所定のキーに指が触れたことを示す制御信号が受信されたとき、選局ステップにおいて選局されたチャンネルの所定のもの以外の複数のものを選局し、選局したチャンネルの所定のもの以外の複数のものの縮小画像に対応する画像信号を生成する生成ステップと、生成ステップにおいて生成された各縮小画像をチャンネルの所定のものの映像上で移動させながら重ね合わせ、合成する合成ステップと、合成ステップにおいて映像に縮小画像が合成された合成映像に対応する合成映像信号を出力する出力ステップとを備えることを特徴とする。
請求項１０に記載の表示制御プログラムは、所定の映像を所定の表示装置に表示する表示制御装置を制御する表示制御プログラムであって、複数のチャンネルから所定のチャンネルを選局し、選局したチャンネルの受信信号を出力する選局ステップと、選局ステップにおいて選局されたチャンネルで放送される各番組の開始時刻および終了時刻を示す番組表に基づいて、現在の時刻が、各番組のうち現在放送されているものの終了時刻から所定時間前であるか否かを判定する第１の判定ステップと、第１の判定ステップにおける判定結果に基づいて、各番組のうち現在放送されているものの終了時刻から所定時間前に、次の時間帯に放送される各チャンネルの番組を示す番組表を含む番組選択メニューに対応する表示信号を出力する番組表表示制御ステップと、番組選択メニューに含まれる番組表の中から所定の番組を予約番組として選択する予約番組選択ステップと、現在の時刻が、予約番組選択ステップにおいて選択された予約番組の放送開始時刻になったか否かを判定する第２の判定ステップと、第２の判定ステップにおける判定結果に応じて、予約番組の放送が開始される時刻に、選局ステップにおいて予約番組が放送されるチャンネルが選局され、選局されたチャンネルで放送される予約番組に対応する映像音声信号が出力されるように制御する映像音声信号出力制御ステップとを表示制御装置に実行させることを特徴とする。
請求項１１に記載の表示制御プログラムは、所定の映像を所定の表示装置に表示する表示制御装置を制御する表示制御プログラムであって、複数のチャンネルから所定のチャンネルを選局し、選局したチャンネルの受信信号を出力する選局ステップと、選局ステップにおいて選局されたチャンネルで放送される各番組の開始時刻および終了時刻を示す番組表に基づいて、現在の時刻が、各番組のうち現在放送されているものの終了時刻から所定時間前であるか否かを判定する第１の判定ステップと、第１の判定ステップにおける判定結果に基づいて、各番組のうち現在放送されているものの終了時刻から所定時間前に、選局ステップにおいて選局されているチャンネルの所定のもの以外の複数のものを選局し、選局したチャンネルの所定のもの以外の複数のものの縮小画像に対応する画像信号を生成する生成ステップと、生成ステップにおいて生成された各縮小画像をチャンネルの所定のものの映像上で重ね合わせ、合成する合成ステップと、合成ステップにおいて映像に縮小画像が合成された合成映像に対応する合成映像信号を出力する出力ステップとを表示制御装置に実行させることを特徴とする。
請求項１２に記載の表示制御プログラムは、リモートコントローラからの制御信号によって制御される表示制御装置を制御する表示制御プログラムであって、各チャンネルのうちの所定のチャンネルを選局し、選局したチャンネルの所定のものの受信信号を出力する選局ステップと、リモートコントローラからの制御信号を受信する受信ステップと、受信ステップにおいて、リモートコントローラの所定のキーに指が触れたことを示す制御信号が受信されたとき、選局ステップにおいて選局されたチャンネルの所定のもの以外の複数のものを選局し、選局したチャンネルの所定のもの以外の複数のものの縮小画像に対応する画像信号を生成する生成ステップと、生成ステップにおいて生成された各縮小画像をチャンネルの所定のものの映像上で移動させながら重ね合わせ、合成する合成ステップと、合成ステップにおいて映像に縮小画像が合成された合成映像に対応する合成映像信号を出力する出力ステップとを表示制御装置に実行させることを特徴とする。
【発明の効果】
【０００６】
本発明の表示制御装置によれば、現在視聴している番組が終了する一定時間前に番組表が画面に表示され、番組表に基づいて次に視聴したい番組を予約しておくことにより、予約した番組の開始時刻になると自動的にその番組が放送されるチャンネルが選局され、画面にその番組が表示されるようにしたので、視聴したい番組を見逃すということを抑制することができる。また、視聴したい番組を確実に最初から視聴することができる。
【発明を実施するための最良の形態】
【０００７】
図１は、本発明を応用したテレビジョン受像機の一実施の形態の構成例を示すブロック図である。同図に示すように、テレビジョン受像機２００は、受光部２０１と、インタフェース（Ｉ／Ｆ）２０２と、制御部２０３と、オーバレイグラフィック処理部２０４と、音声処理部２０６と、チューナ２１０ａ，２１０ｂと、映像信号処理部２１１と、音声信号処理部２１２と、映像出力処理部２１３と、音声出力処理部２１４と、表示部２２０と、スピーカ２３０等から構成されている。チューナ２１０ａ，２１０ｂは、それぞれ地上波放送、ＢＳ放送、ＣＳ放送、データ放送等を受信し、所望のチャンネルを選局することができるものとする。
【０００８】
受光部２０１は、リモートコントローラ（以下、リモコンと略記する）１００より出射された赤外線を受光し、対応する電気信号に変換した後、インタフェース（Ｉ／Ｆ）２０２に供給するようになっている。Ｉ／Ｆ２０２は、受光部２０１より供給された電気信号に対応する制御データを制御部２０３に供給するようになっている。
【０００９】
制御部２０３は、Ｉ／Ｆ２０２より供給された制御データに基づいて各部を制御し、リモコン１００の操作に対応する各種処理を実行するようになっている。また、制御部２０３は、図示しない時計回路を内蔵しており、現在の時刻に基づいて、現在表示されている番組が終了する一定時間前に、後述する映像信号処理部２１１より供給される映像信号に重畳された電子番組表（Electronic Program Guide（EPG））のデータ（各番組が放送されるチャンネルと、その放送開始時刻、および放送終了時刻とからなるデータ）に基づいて、番組選択メニューに対応するオーバレイグラフィックを生成するためのメニューデータを生成し、オーバレイグラフィック処理部２０４に供給するようになっている。また、この番組選択メニューに基づいてチューナ２１０ａを制御し、ユーザによって予約された番組が開始される時刻にその番組が放送されるチャンネルに切り替えるようになっている。
【００１０】
オーバレイグラフィック処理部２０４は、制御部２０３の制御下、映像に重ね合わせる文字や図形からなるオーバレイグラフィックを生成し、映像出力処理部２１３に供給するようになっている。例えば、制御部２０３より供給されたメニューデータに基づいて、図３に示すような番組表を含む番組選択メニューを生成するようになっている。
【００１１】
この番組選択メニューは、現在より後の次の時間帯以降に放送される番組の一覧を示す番組表からなり、リモコン１００を操作することにより、その番組表の中から所望の番組の視聴または録画を予約することができるようになっている。
【００１２】
音声処理部２０６は、制御部２０３からの指令に基づいて音声信号を生成し、音声出力処理部２１４に供給するようになっている。例えば、リモコン１００のキー操作に応じた音声信号を生成するようになっている。
【００１３】
チューナ２１０ａは、図示しないアンテナによって受信された受信信号から所定のチャンネルの映像音声信号を抽出し、映像信号を映像信号処理部２１１に供給し、音声信号を音声信号処理部２１２に供給するようになっている。
【００１４】
同様に、チューナ２１０ｂは、図示しないアンテナによって受信された受信信号から所定のチャンネルの映像音声信号を抽出し、映像信号を映像信号処理部２１１に供給し、音声信号を音声信号処理部２１２に供給するようになっている。チューナ２１０ａおよびチューナ２１０ｂはそれぞれ独立して動作するようになっている。
【００１５】
映像信号処理部２１１は、チューナ２１０ａ、２１０ｂより供給された映像信号に対してそれぞれ所定の処理を施した後、映像出力処理部２１３に供給するようになっている。また、映像信号処理部２１１は、チューナ２１０ａより供給された映像信号から電子番組表に対応するデータを取り出し、制御部２０３に供給するようになっている。音声信号処理部２１２は、チューナ２１０ａ，２１０ｂより供給された音声信号に対してそれぞれ所定の処理を施した後、音声出力処理部２１４に供給するようになっている。
【００１６】
映像出力処理部２１３は、オーバレイグラフィック処理部２０４によって生成されたオーバレイグラフィックを映像信号処理部２１１より供給された映像信号に重ね合わせて合成映像信号を生成し、表示部２２０に供給するようになっている。表示部２２０は、映像出力処理部２１３より供給された合成映像信号に対応する映像を画面に表示するようになっている。
【００１７】
音声出力処理部２１４は、音声信号処理部２１２より供給された音声信号と、音声処理部２０６より供給された音声信号を合成し、スピーカ２３０に供給するようになっている。スピーカ２３０は、音声出力処理部２１４より供給された音声信号を出力するようになっている。
【００１８】
次に、図２のフローチャートを参照して、本実施の形態の処理手順について説明する。いま、表示部２２０には、所定のチャンネルの番組が表示されているものとする。即ち、図示しないアンテナによって受信された受信信号がチューナ２１０ａに供給される。チューナ２１０ａは、受信信号から所定のチャンネルの映像音声信号を選局し、映像信号を映像信号処理部２１１に供給し、音声信号を音声信号処理部２１２に供給する。
【００１９】
映像信号処理部２１１は、チューナ２１０ａより供給された映像信号を映像出力処理部２１３に供給するとともに、映像信号から電子番組表に対応するデータを抽出し、制御部２０３に供給する。
【００２０】
映像出力処理部２１３は、映像信号処理部２１１より供給された映像信号とオーバレイグラフィック処理部２０４から供給されたオーバレイグラフィックとを合成し、合成した映像信号を表示部２２０に供給する。表示部２２０は、この映像信号を表示する。これにより、選局されたチャンネルで放送されている番組が表示されることになる。
【００２１】
まず、ステップＳ１において、制御部２０３により、現在時刻が、いまチューナ２１０ａによって選局され、表示部２２０に表示されている番組が終了する時刻の一定時間前であるか否かが判定される。
【００２２】
即ち、制御部２０３は、図示しない時計回路から出力される時刻データから現在の時刻を認識する。そして、映像信号処理部２１１より供給される番組表に対応するデータと、チューナ２１０ａによって選局されているチャンネルとから、現在、表示部２２０に表示されている番組の終了時刻を認識する。
【００２３】
そして、その終了時刻から一定時間だけ前の時刻を求め、その時刻と現在時刻とを比較することにより、現在時刻がいまチューナ２１０ａによって選局され、表示部２２０に表示されている番組が終了する時刻の一定時間前であるか否かを判定することができる。
【００２４】
その結果、現在時刻がいまチューナ２１０ａによって選局され、表示部２２０に表示されている番組が終了する時刻の一定時間前ではないと判定された場合、ステップＳ１の処理が繰り返し実行される。一方、現在時刻がいまチューナ２１０ａによって選局され、表示部２２０に表示されている番組が終了する時刻の一定時間前であると判定された場合、ステップＳ２に進む。
【００２５】
ステップＳ２においては、制御部２０３により、電子番組表に基づいて、現在放送されている番組が終了した後の次の時間帯に放送される各局（チャンネル）の番組表を含む番組選択メニューを生成するためのメニューデータが生成され、オーバレイグラフィック処理部２０４に供給される。
【００２６】
オーバレイグラフィック処理部２０４は、制御部２０３より供給されたメニューデータに基づいて、番組表を含む番組選択メニューに対応するオーバレイグラフィックを生成し、映像出力処理部２１３に供給する。
【００２７】
映像出力処理部２１３は、オーバレイグラフィック処理部２０４より供給されたオーバレイグラフィックを映像信号処理部２１１より供給された映像信号に重ね合わせて合成し、合成した映像信号を表示部２２０に供給する。表示部２２０は、映像出力処理部２１３より供給された映像信号を画面に表示する。これにより、図３に示すような番組表を含む番組選択メニューが映像に重ね合わせて表示される。
【００２８】
次に、ステップＳ３において、ユーザによってリモコン１００が操作され、番組選択メニューによって所望の番組が選択されたか否かが判定される。その結果、番組選択メニューによって所望の番組が選択されていないと判定された場合、ステップＳ３の処理が繰り返し実行される。一方、番組選択メニューによって所望の番組が選択されたと判定された場合、ステップＳ４に進む。
【００２９】
ステップＳ４においては、ステップＳ３において選択された番組が、次にユーザが視聴する番組とされ、選択された次に視聴する番組の開始時刻になったか否かが判定される。即ち、制御部２０３により、現在時刻と、選択された次に視聴する番組の放送開始時刻とが比較され、現在時刻と次に視聴する番組の放送開始時刻とが一致したか否かが判定される。
【００３０】
その結果、現在時刻と次に視聴する番組の放送開始時刻とが一致していないと判定された場合、ステップＳ４の処理が繰り返し実行される。一方、現在時刻と次に視聴する番組の放送開始時刻とが一致したと判定された場合、ステップＳ５に進む。
【００３１】
ステップＳ５においては、制御部２０３は、ステップＳ３において選択された次に視聴する番組が放送されるチャンネルを電子番組表から認識し、そのチャンネルを選局するようチューナ２１０ａに指令する。チューナ２１０ａは、制御部２０３からの指令に基づいて、次に視聴する番組が放送されるチャンネルを選局し、そのチャンネルの映像信号を映像信号処理部２１１に供給し、音声信号を音声信号処理部２１２に供給する。
【００３２】
映像信号処理部２１１は、チューナ２１０ａより供給された映像信号を映像出力処理部２１３に供給する。映像出力処理部２１３は、映像信号処理部２１１より供給された映像信号を表示部２２０に供給する。また、音声信号処理部２１２は、チューナ２１０ａより供給された音声信号を音声出力処理部２１４に供給する。音声出力処理部２１４は、音声信号処理部２１２より供給された音声信号をスピーカ２３０に供給する。
【００３３】
これにより、ステップＳ３において選択された番組の映像が表示部２２０の画面に表示され、音声がスピーカ２３０より出力される。
【００３４】
以上説明したように、いま、視聴している番組が終了する一定時間前になると、番組表を含む番組選択メニューが画面に表示されるので、視聴者であるユーザは、次の時間帯で見たい番組を予め選択し、視聴を予約することができるので、次の時間帯にいつも見ている番組があるにも拘わらず、それを忘れてそのままチャンネルを変えることなく同一チャンネルの次の番組を見てしまい、本当に見たかった番組を見逃してしまうという事態の発生を抑制することができる。
【００３５】
また、視聴を予約するのみならず、録画予約するようにすることもできる。例えば、次の時間帯に視聴したい番組があるが、用事があって視聴できないとき、録画したい番組を選択して録画予約しておくことができる。これにより、録画しようと思っていたが録画予約するのを忘れてしまったり、その番組が開始されてからそのことに気づき、録画する機会を逃してしまうという事態の発生を抑制することができる。
【００３６】
この場合、視聴予約および録画予約を可能にするために、選択した番組を視聴するのかあるいは録画するのかを選択するための項目を番組選択メニューに追加し、番組の選択操作と、視聴または録画の選択操作を行うことができるようにしておく必要がある。
【００３７】
なお、上記実施の形態では、いま、視聴している番組が終了する一定時間前に番組選択メニューを表示するようにしたが、番組選択メニューを表示するタイミングはこれに限定されるものではない。例えば、いま視聴している番組が終了する一定時間前より以降、コマーシャルが放送されたとき、番組選択メニューを表示することもできる。
【００３８】
また、例えば、いま視聴している番組が１９時から２１時までの２時間番組である場合、２０時から他局でいつも視聴している番組が放送される場合があるので、他局のいずれかの番組が終了する一定時間前に番組選択メニューを表示させるようにすることもできる。これにより、たまたま２時間番組を視聴していた場合でも、いつも視聴している番組を見逃してしまうという事態の発生を抑制することができる。
【００３９】
また、番組選択メニューに含まれる番組表は、次の時間帯に放送される各局の番組の一覧としてもよいし、次の時間帯以降に放送される各局の番組の一覧とすることもできる。
【００４０】
また、上記実施の形態では、いま視聴している番組が終了する前に次の時間帯または次の時間帯以降に放送される各局の番組表を表示するようにしたが、いま視聴している放送局の次の時間帯、または次の時間帯以降に放送される番組のみからなる番組表を含む番組選択メニューを表示することもできる。その場合、その局で次の時間帯以降に見たい番組があれば、その視聴を予約し、見たい番組がなければ他局を含む電子番組表を表示させ、通常のリモコン操作で番組を選局すればよい。
【００４１】
また、次の時間帯以降の番組表から次の時間帯のその次の時間帯以降に放送される番組の視聴を選択し予約することもできる。その場合、その番組が放送される時刻になるまで、いま視聴しているチャンネルをそのまま表示したり、その番組が放送される時刻になるまでテレビジョン受像機２００の電源をオフにし、その番組が放送される時刻になると電源をオンにするようにすることができる。
【００４２】
これにより、視聴したい番組を忘れずに視聴することができるだけでなく、視聴したい番組がない時間帯にはテレビジョン受像機２００の電源をオフにしておくことができるので、消費電力を節約することができる。
【００４３】
次に、いま視聴している番組をそのまま視聴しながら、他局で放送されている裏番組を表示部２２０の画面上に縮小表示する場合について説明する。図４は、いま視聴している番組の映像に、他局で放送されている裏番組の縮小映像を重ね合わせて表示した場合の表示例を示している。
【００４４】
例えば、リモコン１００の図示しない選局キーの例えば「１２」キーに、指で触れたことを検知するセンサを設け、ユーザが「１２」キーに触れると、リモコン１００の図示しない発光部から赤外線により「１２」キーが指で触れられたことを示すコマンドＡが送信される。
【００４５】
テレビジョン受像機２００の制御部２０３は、リモコン１００から送信されてきた上記コマンドＡを受信部２０１を介して受信すると、チューナ２１０ｂに対して、いまチューナ２１０ａが選局しているチャンネルを除くその他のチャンネルを順番に所定の時間間隔で選局するよう指令する。
【００４６】
チューナ２１０ｂは、制御部２０３からの指令に基づいて、所定の時間間隔で、いまチューナ２１０ａが選局しているチャンネルを除くその他のチャンネルを順番に選局し、選局したチャンネルの受信信号のうち、映像信号を映像信号処理部２１１に供給する。
【００４７】
映像信号処理部２１１は、チューナ２１０ｂより所定の時間間隔で供給される、いまチューナ２１０ａが選局しているチャンネルを除くその他のチャンネルの番組（裏番組）に対応する映像信号を映像出力処理部２１３に供給する。
【００４８】
映像出力処理部２１３は、映像信号処理部２１１より供給されたチューナ２１０ｂによって選局されたチャンネルの映像信号に対して所定の縮小処理を施し、いま、表示部２２０の画面全体に表示されている、チューナ２１０ａによって選局されたチャンネルの映像信号に重ね合わせ、チューナ２１０ｂによって選局されたチャンネルの映像信号に対応する映像が表示部２２０の画面上に縮小表示されるようにする。
【００４９】
また、このとき、映像出力処理部２１３は、チューナ２１０ｂによって選局され、縮小処理が施された上記映像信号が、表示部２２０の画面の右下隅から画面内に移動し、さらに画面内を左方向に移動するように、縮小処理が施された上記映像信号をチューナ２１０ａによって選局されたチャンネルの映像信号に重ね合わせることもできる。
【００５０】
同様に、所定の時間間隔に対応する時間が経過すると、チューナ２１０ｂによって他のチャンネルが選局され、そのチャンネルの映像信号が映像信号処理部２１１を介して映像出力処理部２１３に供給される。映像出力処理部２１３は、この映像信号に対して縮小処理を施し、いま、表示部２２０の画面全体に表示されている、チューナ２１０ａによって選局されたチャンネルの映像信号に重ね合わせる。これにより、チューナ２１０ｂによって選局された他のチャンネルの映像信号に対応する映像が表示部２２０の画面上に縮小表示される。
【００５１】
このとき、既に所定のチャンネルの映像信号が画面上に縮小表示されているので、その映像信号が表示されている画面上の矩形領域の隣に、いま縮小処理が施された映像信号が表示される。以下同様にして、複数のチャンネルの映像信号が順次縮小されて画面上に順に表示され、それらの縮小された映像が画面上を右から左に移動する。
【００５２】
いま、表示部２２０の画面全体に表示されているチャンネルの番組の裏番組を表示するためのチューナ２１０ｂは、この実施の形態では１つしか設けられていないので、複数の裏番組のうちの最後に選局されたもの以外の裏番組は、静止画として画面上に表示してもよい。あるいは、各裏番組のフレームの更新回数を減らすことにより、各裏番組をコマ落ちして表示させることもできる。
【００５３】
このように、リモコン１００の所定のキー、例えば、選局キーの「１２」キーに指で触れるだけで、複数の裏番組を表示部２２０の画面に縮小表示させることができるので、ユーザは、いま、選局しているチャンネル以外の他のチャンネルではどのような番組が放送されているのかを簡単な操作で知ることができる。
【００５４】
また、いま視聴している所定のチャンネルの番組が終了する時刻より所定時間前に、あるいは、終了したときに、他のチャンネルで放送されている裏番組の映像を画面上に縮小表示することもできる。その際、上述したように、縮小された映像が画面上を右から左に移動するようにすることもできる。これにより、ユーザは、いま視聴している番組が終了する前に、または終了したときに、他のチャンネルで視聴したい番組がないか視覚により容易に確認することができ、次の時間帯で視聴したい番組が放送される所望のチャンネルに切り替えることができる。
【００５５】
なお、上記実施の形態の構成及び動作は例であって、本発明の趣旨を逸脱しない範囲で適宜変更することができることは言うまでもない。
【産業上の利用可能性】
【００５６】
本発明の活用例として、例えば、テレビジョン放送やデータ放送等を受信可能な録画装置やナビゲーションシステム、携帯電話機等に本発明を適用することができる。
【図面の簡単な説明】
【００５７】
【図１】本発明を応用したテレビジョン受像機の一実施の形態の構成例を示すブロック図である。
【図２】図１の実施の形態の処理手順を説明するためのフローチャートである。
【図３】表示部の画面に表示された番組表を含む番組選択メニューを示す図である。
【図４】表示部の画面に表示された裏番組の縮小映像を示す図である。
【符号の説明】
【００５８】
１００  リモコン 
２００  テレビジョン受像機 
２０１  受光部 
２０２  インタフェース（Ｉ／Ｆ） 
２０３  制御部 
２０４  オーバレイグラフィック処理部 
２０６  音声処理部 
２１０ａ，２１０ｂ  チューナ 
２１１  映像信号処理部
２１２  音声信号処理部
２１３  映像出力処理部
２１４  音声出力処理部
２２０  表示部
２３０  スピーカ 
【図１】
2006237873.tif 000003
【図２】
2006237873.tif 000004
【図３】
2006237873.tif 000005
【図４】
2006237873.tif 000006